(57)【要約】【課題】デジタルカメラ等の撮像装置において、直感的な操作により所望の撮影画像を得る。【解決手段】ＣＣＤ１４からの画像信号はメモリ２４に記憶されるとともに、撮影結果としてディスプレイ３０に表示される。ユーザは、この撮影結果に満足しない場合に、操作入力部３２の削除スイッチを操作して削除指示するとともに、削除理由スイッチを操作してその削除理由を選択入力する。マイコン３６は、削除理由に応じてストロボ２の発光量やシャッタ速度を制御する。削除理由が「顔が白飛び」の場合、マイコン３６はストロボ２の発光量を低減調整する。【選択図】図１
2006129449.tif 000002
【特許請求の範囲】
【請求項１】
被写体に対してストロボ光を照射するストロボ手段と、
被写体からの光を光電変換して画像信号として出力する撮像手段と、
前記撮像手段に入射する入射光量を調整する光量調整手段と、
前記撮像手段から出力された画像信号のゲインを調整するゲイン調整手段と、
ゲイン調整された画像信号のホワイトバランスを調整するホワイトバランス調整手段と、
前記画像信号に対してガンマ補正するガンマ補正手段と、
前記ホワイトバランス調整及びガンマ補正された画像信号を撮影結果として表示する表示手段と、
を有する撮像装置であって、
前記撮影結果の削除指示を入力する削除スイッチと、
前記撮影結果の削除理由を選択入力する削除理由スイッチと、
入力された削除理由に応じ、前記ストロボ手段、前記ゲイン調整手段、前記光量調整手段、ホワイトバランス調整手段及びガンマ補正手段の動作を統合制御する制御手段と、
を有することを特徴とする撮像装置。
【請求項２】
請求項１記載の装置において、
前記削除理由には撮影結果の暗さに関する理由が含まれ、
前記制御手段は、前記削除理由スイッチから撮影結果の暗さに関する理由が入力された場合に、前記光量調整手段の動作を制御して露光量を増減制御することを特徴とする撮像装置。
【請求項３】
請求項２記載の装置において、
前記光量調整手段にはシャッタが含まれ、
前記制御手段は、前記シャッタのシャッタ速度を増減することで露光量を増減制御することを特徴とする撮像装置。
【請求項４】
請求項１記載の装置において、
前記削除理由には撮影結果の色に関する理由が含まれ、
前記制御手段は、前記削除理由スイッチから撮影結果の色に関する理由が入力された場合に、前記ホワイトバランス調整手段の動作を制御してホワイトバランスを変更することを特徴とする撮像装置。
【請求項５】
請求項１記載の装置において、
前記削除理由には撮影結果の輪郭のぼやけに関する理由が含まれ、
前記制御手段は、前記削除理由スイッチから撮影結果の輪郭のぼやけに関する理由が入力された場合に、前記ゲイン調整手段の動作を制御してゲインを増大し、前記シャッタのシャッタ速度を増大することを特徴とする撮像装置。
【請求項６】
請求項１記載の装置において、
前記削除理由には撮影結果の人物顔部の輝度に関する理由が含まれ、
前記制御手段は、前記削除理由スイッチから撮影結果の人物顔部の輝度に関する理由が入力された場合に、前記ストロボ手段の動作を制御してその発光量を制御することを特徴とする撮像装置。
【請求項７】
請求項１記載の装置において、
前記削除理由には撮影結果の人物顔部の輝度に関する理由が含まれ、
前記制御手段は、前記削除理由スイッチから撮影結果の人物顔部の輝度に関する理由が入力された場合に、前記光量調整手段の動作を制御して露光量を増減することを特徴とする撮像装置。
【請求項８】
請求項１記載の装置において、
前記削除理由には撮影結果の背景の輝度に関する理由が含まれ、
前記制御手段は、前記削除理由スイッチから撮影結果の背景の輝度に関する理由が入力された場合に、前記ストロボ手段及び前記光量調整手段の動作を制御して露光量を増減することを特徴とする撮像装置。
【請求項９】
請求項１記載の装置において、
前記削除理由には撮影結果の背景の輝度に関する理由が含まれ、
前記制御手段は、前記削除理由スイッチから撮影結果の背景の輝度に関する理由が入力された場合に、前記ゲイン調整手段の動作を制御してゲインを増減することを特徴とする撮像装置。
【請求項１０】
請求項１記載の装置において、
前記削除理由には撮影結果の空の色に関する理由が含まれ、
前記制御手段は、前記削除理由スイッチから撮影結果の空の色に関する理由が入力された場合に、前記光量調整手段及び前記ゲイン調整手段の少なくともいずれかを調整することでダイナミックレンジをシフトし、かつ、前記ガンマ補正手段のガンマ補正値を変更することを特徴とする撮像装置。
【請求項１１】
請求項１記載の装置において、
前記削除理由には撮影結果の用途への適不適に関する理由が含まれ、
前記制御手段は、前記削除理由スイッチから撮影結果の用途への適不適に関する理由が入力された場合に、前記ホワイトバランス調整手段の動作を制御してホワイトバランスを変更することを特徴とする撮像装置。
【請求項１２】
請求項１〜１１のいずれかに記載の装置において、
前記制御手段は、前記削除理由に応じた制御の後に得られた撮影結果に対し、再度同一削除理由が入力された場合に、該削除理由に応じた制御量を変更することを特徴とする撮像装置。
【請求項１３】
被写体からの光を光電変換して画像信号として出力する撮像手段と、
前記撮像手段に入射する入射光量を調整する光量調整手段と、
前記撮像手段から出力された画像信号のゲインを調整するゲイン調整手段と、
ゲイン調整された画像信号のホワイトバランスを調整するホワイトバランス調整手段と、
前記画像信号に対してガンマ補正するガンマ補正手段と、
前記ホワイトバランス調整及びガンマ補正された画像信号を撮影結果として表示する表示手段と、
を有する撮像装置であって、
前記撮影結果に対する不満の理由を入力する手段と、
入力された理由に応じ、前記光量調整手段、ゲイン調整手段、ホワイトバランス調整手段及びガンマ補正手段の少なくともいずれかの動作を制御する制御手段と、
を有することを特徴とする撮像装置。
【請求項１４】
請求項１３記載の装置において、さらに、
被写体に対してストロボ光を照射するストロボ手段
を有し、前記制御手段は前記入力された理由に応じ、前記ストロボ手段、光量調整手段、ゲイン調整手段、ホワイトバランス調整手段及びガンマ補正手段の少なくともいずれかの動作を制御することを特徴とする撮像装置。
【発明の詳細な説明】
【技術分野】
【０００１】
本発明は撮像装置、特にデジタルカメラ等の撮像装置の調整に関する。
【背景技術】
【０００２】
デジタルカメラ等の撮像装置においては、ホワイトバランス調整や露出補正等、ユーザが所望の撮影結果を得ることができるように各種のパラメータを調整する機能が付加されている。
【０００３】
しかしながら、近年は特にコンパクト化及び高機能化が進み、一部のユーザ以外ではデジタルカメラの有する機能を理解し、かつ、撮影状況に応じてこれらの機能を正しく使い分けることが一層困難となっている。
【０００４】
下記の特許文献１には、モニタ表示装置を第１の表示部と第２の表示部に区分し、第１の表示部に所定のメニュー表示を行うとともに、その関連項目を第２の表示部に表示してカメラ操作を容易化する技術が記載されている。
【０００５】
【特許文献１】特開２００１−３６７８０号公報
【発明の開示】
【発明が解決しようとする課題】
【０００６】
しかしながら、デジタルカメラの有する機能をメニュー表示するだけでは、結局、当該機能についての知識が要求されることとなる。例えば、「スローシンクロ」なるメニューが表示されても、このスローシンクロなる機能がどのようなもので、どのような撮影状況下で使用すればいいのか知らなければ意味が無い。一般のユーザにとっては、現在のデジタルカメラの設定条件において撮影された画像を視認し、その結果に対して特定の不満を持つ場合にデジタルカメラの設定を変更したいと欲することが多く、このような場合にデジタルカメラの機能について専門的な知識を有していなくても、直感的な操作により機能を使いこなせることが望ましい。
【０００７】
本発明の目的は、ユーザの直感的な操作により、すなわち、得られた撮影結果を視認し、その撮影結果に対して特定の不満の理由を有する場合にその直感的な理由を入力することにより各種機能を自動設定ないし自動調整し、これにより所望の画像を極めて容易に得ることができる撮像装置を提供することにある。
【課題を解決するための手段】
【０００８】
本発明は、被写体に対してストロボ光を照射するストロボ手段と、被写体からの光を光電変換して画像信号として出力する撮像手段と、前記撮像手段に入射する入射光量を調整する光量調整手段と、前記撮像手段から出力された画像信号のゲインを調整するゲイン調整手段と、ゲイン調整された画像信号のホワイトバランスを調整するホワイトバランス調整手段と、前記画像信号に対してガンマ補正するガンマ補正手段と、前記ホワイトバランス調整及びガンマ補正された画像信号を撮影結果として表示する表示手段とを有する撮像装置であって、前記撮影結果の削除指示を入力する削除スイッチと、前記撮影結果の削除理由を選択入力する削除理由スイッチと、入力された削除理由に応じ、前記ストロボ手段、前記ゲイン調整手段、前記光量調整手段、ホワイトバランス調整手段及びガンマ補正手段の動作を統合制御する。
【０００９】
本発明では撮影結果を表示し、この撮影結果を視認したユーザが撮影結果に満足せずに削除したいと欲する場合にその削除理由を入力する。制御手段は、選択入力された削除理由に応じて撮像装置内のストロボ手段や光量調整手段等を制御し、ストロボの発光量や露光量を調整する。本発明では、ユーザはストロボ手段や光量調整手段を意識する必要がなく、単に直感的な削除理由を選択入力すれば足りる。
【００１０】
本発明の１つの実施形態では、削除理由として、撮影結果の暗さに関する理由（撮影結果が暗い等）、撮影結果の色に関する理由（撮影結果の色がおかしい等）、撮影結果の輪郭のぼやけに関する理由、撮影結果の人物顔部の輝度に関する情報（顔部が影あるいは白飛び等）、撮影結果の背景の輝度に関する理由（背景が暗い等）、撮影結果の空の色に関する理由（晴天にも拘わらず空が白っぽい）等が入力される。制御手段は、これらの削除理由に応じてストロボ手段の発光量や光量調整手段の露光量を増減調整する。
【発明の効果】
【００１１】
本発明によれば、ユーザは直感的な削除理由を入力するだけで所望の撮影結果を得ることができる。また、ユーザは削除理由を選択入力するだけでストロボ手段や光量調整手段等を調整することができるので、結果として、撮像装置の有する機能について正確な知識を有していなくてもこれらの機能を有効利用することができる。
【発明を実施するための最良の形態】
【００１２】
以下、図面に基づき本発明の実施形態について、デジタルカメラを例にとり説明する。
【００１３】
図１には、本実施形態に係るデジタルカメラの全体構成ブロック図が示されている。レンズ１０は、被写体からの光を集光する。絞り（アパーチャ）１２及びシャッタ１３は、それぞれ被写体からの入射光量及び入射時間を調整する。機械式のシャッタ１３を有さず、後述するタイミングジェネレータＴＧ３４からの駆動信号に基づいてＣＣＤ１４の電荷蓄積時間を制御することで入射時間を調整することもできる（電子シャッタ）。機械式シャッタ１３と電子シャッタをともに備えてもよい。レンズ１０、絞り１２及びシャッタ１３で集光され光量調整された光は、撮像素子としてのＣＣＤ１４に入射する。ＣＣＤ１４は、入射した光をその光量に応じた電気信号（電圧信号）に変換して出力する。撮像素子としては、ＣＣＤ１４の代わりにＣＭＯＳを用いてもよい。ＣＣＤ１４は、光電変換して得られた電気信号をＣＤＳ／ＡＧＣ１６に出力する。ＣＤＳ（相関２重サンプリング）／ＡＧＣ（オートゲインコントロール）１６は、ＣＣＤ１４からの電気信号をサンプリングし、また、その信号レベル（ゲイン）を調整してＡ／Ｄ１８に出力する。Ａ／Ｄ１８は、ＣＤＳ／ＡＧＣ１６からのアナログ信号をデジタル信号に変換して画像処理部２０に出力する。画像処理部２０は、システムＬＳＩで構成され、入力デジタル信号に所定の信号処理を施してコーデックＣＯＤＥＣ２２あるいはＤ／Ａ２６に出力する。
【００１４】
以下、画像処理部２０について説明する。
【００１５】
図２には、画像処理部２０の機能ブロック図が示されている。画像処理部２０は、Ａ／Ｄ１８からのデジタル信号（デジタル画像信号）に対し、ホワイトバランス補正、ガンマ（γ）補正、及び色信号・輝度信号分離の各処理を順次実行する。
【００１６】
ホワイトバランス補正処理部２０ａは、Ａ／Ｄ１８からのデジタル画像信号に対し、ＣＣＤ１４に設けられたカラーフィルタの各フィルタ感度の相違等に基づいて各色のバランスを補正し、補正した画像信号をガンマ補正処理部２０ｂに出力する。ガンマ補正処理部２０ｂは、ホワイトバランス補正された画像信号に対してガンマ補正、すなわち入力値に対して出力値を指数関数的に変換することで表示デバイスの特性に合致させ線形性を確保する。ガンマ補正は、具体的には入力値と出力値との関係をマップとしてメモリに記憶しておき、このマップにアクセスすることで入力値に対応する出力値を得ることで実行される。マップで規定されていない中間値は、その近傍の値（両端の値）を用いて補間する。マップではなく、ガンマ補正関数をメモリに記憶しておき、この補正関数を用いて変換してもよい。ガンマ補正処理部２０ｂは、ガンマ補正したデジタル画像信号をＲＧＢ信号生成処理部２０ｃに出力する。ＲＧＢ信号生成処理部２０ｃは、デジタル画像信号に対し、ノイズ除去処理や帯域制限処理、高域信号補正処理等を施してＲ信号、Ｇ信号、Ｂ信号の各信号を生成し、輝度信号生成処理部２０ｄ及び色差信号生成処理部２０ｅに出力する。輝度信号生成処理部２０ｄは、ＲＧＢ信号生成処理部２０ｃからのＲＢＧ信号を所定の合成比で合成することで輝度信号（Ｙ信号）を生成する。また、色差信号生成処理部２０ｅも同様にＲＧＢ信号生成処理部２０ｃからのＲＧＢ信号を所定の合成比で合成することで色差信号（Ｃｂ、Ｃｒ）を生成する。これらの輝度信号や色差信号は、上記のようにＣＯＤＥＣ２２あるいはＤ／Ａ２６に供給される。
【００１７】
再び図１に戻り、コーデックＣＯＤＥＣ２２は、画像処理部２０からの画像信号を圧縮、符号化してメモリ２４に記憶し、あるいはメモリ２４から読み出された符号化画像データを解凍・復号して画像処理部２０に供給する。メモリ２４は、例えばフラッシュメモリで構成され、コーデックＣＯＤＥＣ２２により圧縮符号化された画像データ、例えばＪＰＥＧフォーマットやＴＩＦＦフォーマットで圧縮符号化された画像データを記憶する。Ｄ／Ａ２６は、画像処理部２０からの画像信号をアナログ画像信号に変換してビデオエンコーダ２８に出力する。ビデオエンコーダ２８は、アナログ画像信号をディスプレイ３０に適合する形式の映像信号（ＮＴＳＣ信号等）にエンコードしてディスプレイ３０に出力する。ディスプレイ３０は、液晶パネルや有機ＥＬパネル等で構成され、ビデオエンコーダ２８からの画像信号を表示する。ディスプレイ３０は、デジタルカメラのファインダあるいは画像モニタとして機能する。
【００１８】
操作入力部３２は、デジタルカメラのユーザがシャッタ操作や被写体あるいはシーンの選択等の各種コマンドあるいはメニューを指定するための操作スイッチであり、その操作に応じた各種コマンド信号をバスを介してマイコン３６あるいは画像処理部２０に出力する。タイミングジェネレータＴＧ３４は、ＣＣＤ１４、ＣＤＳ／ＡＧＣ１６、Ａ／Ｄ１８及び画像処理部２０の動作タイミングを制御する。タイミングジェネレータＴＧの制御により、一定のフレームレートで画像信号が画像処理部２０の内蔵メモリ（図示せず）に記憶されていく。内蔵メモリに記憶された画像信号は、間引き処理により画像サイズが所定サイズに縮小され、Ｄ／Ａ２６及びビデオエンコーダ２８を介してファインダとしてのディスプレイ３０に表示される。操作入力部３２の一つであるシャッタボタンがユーザにより操作されると、タイミングジェネレータＴＧ３４はシャッタボタンが押下された時点の画像信号を取り込むように画像処理部２０を制御し、画像処理部２０の内蔵メモリに記憶された当該タイミングの画像信号をコーデックＣＯＤＥＣ２２により圧縮符号化してメモリ２４に記憶する。あるいは、シャッタが押下された時点の画像信号は、画像処理部２０の内蔵メモリから読み出されてＤ／Ａ２６、ビデオエンコーダ２８を介してファインダあるいは液晶モニタとしてのディスプレイ３０に表示される。ユーザは、この画面を見ることで撮影結果を視認し評価する。
【００１９】
ストロボ２は、デジタルカメラに内蔵され、発光部４により発光の有無及び発光量が調整される。発光部４は、マイコン３６からの制御信号により駆動される。発光部４は、後述するように主コンデンサを備え、主コンデンサに蓄積された電荷によりキセノン管等のストロボ２を発光させる。発光部４は、ストロボ発光時には、基本的にプリ発光と本発光を実行する。すなわち、プリ発光時の発光量と被写体からの反射光から本発光時の発光量を設定し、設定された発光量で本発光を実行する。被写体からの反射光は測光部６で検出されマイコン３６に供給される。
【００２０】
マイコン（マイクロコンピュータ）３６は、絞り１２、シャッタ１３、ＣＤＳ／ＡＧＣ１６のＡＧＣ機能、タイミングジェネレータＴＧ３４、画像処理部２０及び発光部４を統括的に制御する。すなわち、操作入力部３２から入力されたシャッタ操作信号や各種コマンド信号、メニュー選択信号等に基づいて絞り１２やシャッタ１３、電子シャッタ、ＡＧＣ１６の発光量を調整して露光量を調整するとともに、メモリ２４への画像データの書き込みと読み出し、ディスプレイ３０への表示を制御する。また、マイコン３６は、ユーザによる操作入力部３２の操作を促すため、あるいは操作補助のため、所定の各種操作メニューや現在の状態（撮影可能枚数やシャッタ速度、絞り値、設定モード、ヒストグラム等）をディスプレイ３０に表示する。また、マイコン３６は、発光部４内の主コンデンサの端子電圧を監視してその充放電を制御することでストロボ２のプリ発光及び本発光、並びにそれぞれの発光量を制御する。従来、測光により被写体が暗く、ストロボ２を発光させる必要があると判定した場合、マイコン３６は常にプリ発光及び本発光を実行しているが、本実施形態では、操作入力部３２から入力されたユーザの要求に応じ、必要に応じてプリ発光を無効化する。プリ発光を無効化するのは、プリ発光による主コンデンサの端子電圧低下を防ぎ、発光時の発光量をその分だけ余分に増大させるためである。すなわち、マイコン３６は、絞り１２、シャッタ１３、ＣＤＳ／ＡＧＣ１６のＡＧＣゲイン及びストロボ２のプリ発光、本発光を統合制御することで、ユーザ所望の撮影結果を生成する。
【００２１】
発光部４は、主コンデンサ、放電回路、充電回路及び切替スイッチを有する。充電回路には電源回路からの電源ラインが接続される。マイコン３６は、ストロボ２を発光しないタイミングにおいて切替スイッチを充電回路側に切り替えて主コンデンサを充電する。主コンデンサの端子電圧は直列接続された２つの抵抗の分圧信号としてマイコン３６に供給され、これによりマイコン３６は主コンデンサの端子電圧を監視する。また、マイコン３６は、ストロボ２を発光させる必要が生じた場合、切替スイッチを放電回路側に切り替えて主コンデンサに蓄積された電荷を放電してストロボ２に供給する。ストロボ２の発光には、プリ発光と本発光があり、それぞれの発光量は端子電圧及び放電時間で調整される。具体的には、マイコン３６は、主コンデンサの端子電圧、被写体輝度情報（プリ発光前の輝度情報）、及び被写体距離情報に基づいてプリ発光の発光量を算出する。一般に、端子電圧が大きいほどプリ発光の発光量が増大するが、端子電圧が一定値以上であればプリ発光量を端子電圧によらずに一定値に設定してもよい。また、マイコン３６は、プリ発光時の発光量（積算発光量）と被写体からの反射光量に基づいて本発光の発光量を算出する。プリ発光時の発光量から自然光下における反射光量の差分を演算してプリ発光時の発光量のみを抽出し、適正露光量と比較して不足する分の露光量を本発光時の発光量とする。
【００２２】
図３には、図１における操作入力部３２の構成が示されている。操作入力部３２は、デジタルカメラとして通常有する機能である、電源スイッチやレリーズボタン（シャッタボタン）、メニュー選択スイッチ、撮影画像読出選択スイッチ等の他、削除スイッチ３２ａ及び削除理由選択スイッチ３２ｂを備える。削除スイッチ３２ａは、ディスプレイ３０に表示された撮影結果を視認したユーザが、何らかの理由により撮影結果に満足しないために当該撮影結果を削除する（メモリからの削除）ときに操作する。また、削除理由スイッチ３２ｂは、ユーザが削除スイッチ３２ａを操作したときに、さらに当該撮影結果を削除する理由を選択入力するためのスイッチである。ユーザが削除スイッチ３２ａを操作すると、削除コマンドがマイコン３６に供給される、マイコン３６は、この削除コマンドに応じ、その削除理由を判別するために、ディスプレイ３０に複数の削除理由をリスト表示する。ユーザは、削除理由選択スイッチ３２ｂを用いてこのリストの中から削除理由を選択入力する。ユーザが削除理由選択スイッチ３２ｂを操作して削除理由を選択入力すると、それぞれの削除理由のコマンドがマイコン３６に供給される。マイコン３６は、選択入力された削除理由に応じて、絞り１２、シャッタ１３、ＣＤＳ／ＡＧＣ１６のゲイン、及び発光部４を統合的に制御する。ユーザから見れば、デジタルカメラの有する各種調整機能についての正確な知識を有さなくても、撮影結果に対する直感的な不満足を直感的な「削除理由」の形式で入力するだけで、デジタルカメラ側で自動的に各種の調整を行うことになる。
【００２３】
図４には、ユーザが削除スイッチ３２ａを操作した場合に、ディスプレイ３０に表示される削除理由リストの一例が示されている。削除理由としては、「とにかく消したい」、「暗い」、「色がおかしい」、「赤目」、「ブレた」、「顔が影」、「顔が白飛び」、「背景が真っ黒」、「空が青く写らない」、「オークションに不適当」が表示される。
【００２４】
「とにかく消したい」は、撮影結果の構図等にそもそも不満足であるため削除する場合に選択するメニューである。「暗い」は、撮影結果が全体として暗く、本来もっと明るい画像を期待している場合に選択するメニューである。「色がおかしい」は、撮影結果の色が意図した色と異なる場合に選択するメニューである。「赤目」は、撮影結果の人物等の眼部が赤い場合に選択するメニューである。「ブレた」は、撮影結果の輪郭がぼんやりしている場合に選択するメニューである。「顔が影」は、撮影結果の顔部が影となっている場合に選択するメニューである。「顔が白飛び」は、撮影結果の顔部が逆に白く飛んでいる場合に選択するメニューである。「背景が真っ黒」は、撮影結果の人物等は問題ないが背景が暗いあるいは真っ黒の場合に選択するメニューである。「空が青く写らない」は、撮影結果の空部が晴天にも拘わらず青く写っていない場合に選択するメニューである。「オークションに不適当」は、撮影結果を特定の用途（この場合にはインターネットを用いたオークションに出品するための撮影）に用いる場合であって見栄えが悪いときに選択するメニューである。
【００２５】
これらのメニューは、いずれもユーザが撮影結果から直感的に理解できるメニューである。マイコン３６は、これらのメニューのいずれが選択入力されたかを判別し、それぞれのメニューに応じて絞り１２やシャッタ１３、発光装置４等を所定の制御プログラムに従って制御する。
【００２６】
以下、選択入力された削除理由に応じたマイコン３６の制御について説明する。なお、制御プログラムはファームウェアとしてマイコン３６のＲＯＭに記憶しておく。
【００２７】
図５及び図６には、マイコン３６の制御フローチャートが示されている。ＡＥモードでユーザが所望の被写体を撮影すると、画像処理部２０は当該撮影結果をディスプレイ３０に表示する（Ｓ１０１）。表示時間は一定時間でよく、撮影結果の詳細を視認できるように、ユーザからの操作に応じて画像の特定部位を拡大して表示してもよい。撮影結果をデジタルカメラの背面モニタに表示する技術は周知である。
【００２８】
撮影結果を表示した後、マイコン３６はユーザからの削除コマンドの入力待機状態となる（Ｓ１０２）。この状態でユーザが削除スイッチ３２ａを操作すると、マイコン３６は削除コマンドに応じて画像処理部２０に指令し、予め設定された削除理由リストをディスプレイ３０に表示してユーザの削除理由入力を促す（Ｓ１０３）。ユーザが削除理由を入力すると、マイコン３６はどの削除理由が入力されたか判別する。
【００２９】
選択入力された削除理由が「とにかく消したい」である場合（Ｓ１０４）、マイコン３６はユーザからの削除要求に応じてディスプレイ３０に表示されている撮影結果をメモリ２４から削除する（Ｓ１０５）。このとき、マイコン３６は削除以外の特定の調整処理を実行しない。従って、次にレリーズボタンが押下された場合には、基本的に前回と同一の条件で撮影される。
【００３０】
選択入力された削除理由が「暗い」である場合（Ｓ１０６）、マイコン３６はユーザからの削除要求に応じてディスプレイ３０に表示されている撮影結果をメモリ２４から削除する（Ｓ１０７）。また、マイコン３６は、削除理由「暗い」に応じ、この要求を満たすために露光量の増大が必要であるとして絞り１２、シャッタ１３、発光部４、ＡＧＣ１６のゲインを調整する（Ｓ１０８）。具体的には、前回の撮影時にストロボ２を発光させているか否かを判定し（ストロボ発光の有無はマイコン３６の内蔵メモリに記憶させておく）、ストロボ２を発光させていない場合、つまり自然光が十分存在する場合にはシャッタ１３のシャッタ速度を遅くして露光量を増大させる。一方、ストロボ２を発光させている場合、発光部４に指令してストロボの発光量を増大させる。上記のように、ストロボ２はプリ発光と本発光を行い、発光部４はプリ発光の結果に応じて本発光の発光量Ｑを設定しているが、発光部４はマイコン３６からの指令に応じ、本発光の発光量を所定量ΔＱだけ増大させてＱ＋ΔＱとする。なお、前回の撮影時に既に本発光の発光量をΔＱだけ増大させている場合には、マイコン３６は、プリ発光を無効として本発光のみを実行させる。プリ発光及び本発光を行うと、プリ発光により主コンデンサの端子電圧が低下し、本発光時の最大可能発光量が減少してしまう。そこで、プリ発光を行わず本発光のみとして本発光の発光量を最大化するのである。マイコン３６は、ストロボ２のプリ発光を無効化するとともに、ＡＧＣ１６のゲインを所定量だけ増大させてＩＳＯ感度を上げてもよい。
【００３１】
選択入力された削除理由が「色がおかしい」である場合（Ｓ１０９）、マイコン３６は
さらにディスプレイ３０に照明条件をリスト表示してユーザに照明条件の選択入力を促す（Ｓ１１０）。照明条件リストは、例えば「日向」、「日陰」、「蛍光灯」、「タングステン」、「知らない」等である。照明条件が入力されると、マイコン３６はユーザからの削除要求に応じてディスプレイ３０に表示されている撮影結果をメモリ２４から削除する（Ｓ１１１）。また、マイコン３６は、削除理由「色がおかしい」及び照明条件に応じ、画像処理部２０のホワイトバランス補正処理部２０ａに指令して照明条件に合致するホワイトバランス調整を実行する（Ｓ１１２）。なお、照明条件として「知らない」が選択入力された場合、マイコン３６はデフォルトである日向用のホワイトバランス調整を実行する。
【００３２】
選択入力された削除理由が「赤目」である場合（Ｓ１１３）、マイコン３６はユーザからの削除要求に応じてディスプレイ３０に表示されている撮影結果をメモリ２４から削除する（Ｓ１１４）。また、マイコン３６は、削除理由「赤目」に応じ、所定の赤目低減処理を実行する（Ｓ１１５）。具体的には、本発光に先立ってストロボ２を数回発光させて被写体の瞳孔を収縮させ赤目を抑制する。もちろん、他の方法を用いてもよい。
【００３３】
選択入力された削除理由が「ブレた」である場合（Ｓ１１６）、マイコン３６はユーザからの削除要求に応じてディスプレイ３０に表示されている撮影結果をメモリ２４から削除する（Ｓ１１７）。また、マイコン３６は、削除理由「ブレた」に応じ、ＡＧＣ１６のゲインを所定量だけ増大させてＩＳＯ感度を上げる（Ｓ１１８）。また、シャッタ速度を増大する。
【００３４】
次に、図６において、選択入力された削除理由が「顔が影」である場合（Ｓ１１９）、マイコン３６はユーザからの削除要求に応じてディスプレイ３０に表示されている撮影結果をメモリ２４から削除する（Ｓ１２０）。また、マイコン３６は、削除理由「顔が影」に応じ、ストロボ２を発光させる、あるいはシャッタ１３のシャッタ速度を所定量だけ遅くして露出補正（露出増大）を行う（Ｓ１２１）。ストロボ２を発光させるか、露出補正を行うかは自然光の光量に応じて決定する。すなわち、自然光の光量を測光センサで検出し所定光量以下であればストロボ発光で対応し、所定光量以上であれば露出補正で対応する。
【００３５】
選択入力された削除理由が「顔が白飛び」である場合（Ｓ１２２）、マイコン３６はユーザからの削除要求に応じてディスプレイ３０に表示されている撮影結果をメモリ２４から削除する（Ｓ１２３）。また、マイコン３６は、削除理由「顔が白飛び」に応じ、ストロボ２の発光量を低減すべく発光部４に指令する。すなわち、ストロボ２の発光量はプリ発光の結果に応じて設定されるが、プリ発光により設定された本発光の発光量Ｑを所定量Δｑだけ低減してＱ−Δｑとする。なお、前回の撮影時にストロボ２を発光していない場合にはこの処理を実行しない（Ｓ１２４）。
【００３６】
選択入力された削除理由が「背景が真っ黒」である場合（Ｓ１２５）、マイコン３６はユーザからの削除要求に応じてディスプレイ３０に表示されている撮影結果をメモリ２４から削除する（Ｓ１２６）。また、マイコン３６は、削除理由「背景が真っ黒」に応じ、前回の撮影時にストロボ２を発光させている場合にはいわゆるスローシンクロモードに移行する。ここに、スローシンクロモードとは、ストロボ２を発光させるとともにシャッタ１３のシャッタ速度を遅くして露光量を増大させる処理である。一方、前回の撮影時においてストロボ２を発光させていない場合には、ＡＧＣ１６のゲインを増大させてＩＳＯ感度を所定量だけ増大する（Ｓ１２７）。
【００３７】
選択入力された削除理由が「空が青く写らない」である場合（Ｓ１２８）、マイコン３６はユーザからの削除要求に応じてディスプレイ３０に表示されている撮影結果をメモリ２４から削除する（Ｓ１２９）。また、マイコン３６は、削除理由「空が青く写らない」に応じ、デジタルカメラの最大反射率を増大する調整を行い（Ｓ１３０）、かつ、最大反射率の増大に連動させてガンマ補正値を調整後の最大反射率に対応した値に変更する（Ｓ１３１）。ここに、「最大反射率」とは、ＣＣＤ１４の最大出力に対応する入射光量の指標である。ＣＩＰＡ（Camera & Imaging Products Association：カメラ映像機器工業会規格）では、感度基準レベルに階調の中間レベルを採用しており、具体的にはガンマ補正後のデジタル最大出力値（８ビットの場合には２５５）を被写体反射率１００％に対応させた時の１８％標準ニュートラルグレイ被写体に対応する輝度値（Ｙ値）を基準とする（８ビットの場合には１１８）。もちろん、１８％グレイ被写体に対する輝度値をＣＩＰＡ基準の１１８ではなく他の値、例えば１３０にすることも可能であり、人肌をどのように表現するかでこの数値が定まり得る。１８％グレー被写体の輝度値を設定した場合、デジタル最大出力値に対応する反射率、すなわち最大反射率は、以下の式で定義される。
【００３８】
最大反射率（％）＝１８（％）×ＣＣＤ出力の最大値／適正露光条件下で撮影された
１８％グレー被写体のＣＣＤ出力値
【００３９】
本実施形態では、デフォルト状態では、１８％グレー被写体の輝度は、ガンマ補正後で１３０（８ｂｉｔ）、最大反射率は１２０％に設定される。このデフォルト状態では、ＣＣＤ１４の出力は反射率０％〜反射率１２０％の間の入射光量に応じて画像信号を出力する。デフォルト状態で被写体を撮影した場合、被写体の輝度が高いために、白飛び、青飛び（空が白っぽくなる）、赤飛び（赤い色が白っぽくなる）等が生じる場合がある。また、フラットな照明条件下（スタジオ撮影の場合等）において被写体のコントラストが低くなる場合がある。これらは、撮影条件に対して０％〜１２０％の反射率で規定されるダイナミックレンジが適当でないため生じるので、最大反射率をデフォルトの１２０％より増大させる、あるいは減少させることで、撮影条件に合致したダイナミックレンジを設定することができる。但し、単に最大反射率を増減変更したのみ（ガンマ補正値は固定）では、その最大反射率の増減に応じて適正露光のターゲットである１８％グレー被写体のガンマ補正後の出力値が変動してしまうため（最大反射率が増大すると１８％グレーはダイナミックレンジ上において相対的に小さくなり、最大反射率が減少すると１８％グレーは相対的に大きくなるためガンマ補正後の出力値も変動する）、所望の撮影結果を得ることができず、ユーザは撮影結果を別途パーソナルコンピュータ（ＰＣ）にダウンロードし、画像処理ソフトウェアを用いてトーンカーブを補正する等の付加的な処理が必要となってしまう。そこで、本実施形態では、最大反射率を増減変更するとともに、この最大反射率の増減に連動させてガンマ補正を変更することで、視覚的印象に則した撮影結果を得るようにしている。図７には、最大反射率７０％、１２０％、１７０％にそれぞれ対応するガンマ値が例示されている。図中、Ａはデフォルトの１２０％に対応するガンマ値、Ｂは１７０％のガンマ値、Ｃは７０％のガンマ値である。
【００４０】
再び図６に戻り、選択入力された削除理由が「オークションに不適当」である場合（Ｓ１３２）、マイコン３６はユーザからの削除要求に応じてディスプレイ３０に表示されている撮影結果をメモリ２４から削除する（Ｓ１３３）。また、マイコン３６は、削除理由「オークションに不適当」に応じ、Ｓ１１０と同様にディスプレイ３０に照明条件リストを表示してユーザに照明条件の選択入力を促し、照明条件に応じたホワイトバランス調整を実行すべく画像処理部２０のホワイトバランス補正処理部２０ａに指令する（Ｓ１３４）。もちろん、オークションに出品するための撮影は、通常、一定条件の下で撮影される（出品すべき商品を机の上において蛍光灯下において撮影される）ことが多いため、この条件に合致するようなホワイトバランス調整を実行してもよい。
【００４１】
このように、本実施形態では、ユーザからの直感的な削除理由に応じて、絞り１２やシャッタ１３、ストロボ２の発光量、ＡＧＣ１６のゲイン（ＩＳＯ感度）を単独で、あるいはこれらを所定の優先度で組み合わせて統合制御することによりユーザが所望する撮影結果を達成している。ユーザは、デジタルカメラの有する各種機能についての正確な知識を有することなく、デジタルカメラの各種機能を結果として効果的に使用し得る。
【００４２】
以上、本発明の実施形態について説明したが、本発明はこれに限定されるものではなく種々の変更が可能である。
【００４３】
例えば、本実施形態では、選択入力された削除理由に応じてストロボ２等を調整しているが、次回の撮影時までに一定時間が経過した場合にこれらの調整をキャンセルし、調整を不実行とすることが好適である。一定時間経過した場合には、もはやこれらの調整が必要であった撮影状況下にはないと判断できるからである。具体的には、タイマーで一定時間経過したか否かを判定する他、一定時間何らの操作もない場合にスリープモードに移行する機能や電源ＯＦＦする機能がデジタルカメラに備わっている場合、これと組み合わせてスリープモードや電源ＯＦＦになったときに調整をキャンセルすればよい。
【００４４】
また、削除理由を表示するか否かは、ユーザが適宜設定可能とすることもできる。
【００４５】
また、削除理由を解消するためにマイコン３６がストロボ２等を調整したか否かをディスプレイ３０に表示してユーザに報知することも好適である。これにより、ユーザはデジタルカメラが現在、デフォルトの状態ではなく、削除理由を解消するための調整モードに移行していることを確実に認知することができる。当該調整モードを解除するためには、例えばユーザは電源をＯＦＦに設定すればよい。マイコン３６は、電源ＯＦＦに応じてストロボ２やシャッタ１３、ＡＧＣゲイン（ＩＳＯ感度）をデフォルト値に戻して制御する。
【００４６】
さらに、本実施形態では削除理由に応じた調整制御を実行しているが、調整後の撮影結果に対する再度の削除入力あるいは再度の削除理由入力に応じ、調整制御を適応的に変化させる所謂学習機能を有していてもよい。例えば、Ｓ１１９にて「顔が影」との削除理由が入力され、これに応じてマイコン３６はストロボ発光あるいは露出補正を行うが、露出補正を行う調整後に再度ユーザが調整後の撮影結果に対して撮影結果を削除し、さらに削除理由として「顔が影」を入力した場合には次にストロボ発光で調整する。これは、「顔が影」との削除理由をユーザが２回目に入力したときには一層の露光量を要求しているものと学習し、２回目からは最初の削除理由「顔が影」とあわせて露出補正ではなくストロボ発光で調整するものである。あるいは、Ｓ１２８にて「空が青く写らない」との削除理由が入力され、これに応じてマイコン３６は最大反射率をデフォルトの１２０％から１５０％に増大させた場合において、ユーザが調整後の撮影結果に対して再度削除理由として「空が青く写らない」を入力した場合には、当初の１２０％→１５０％の増大は当該ユーザにとって増大分が不足していたものと学習し、２回目からは最初の削除理由「空が青く写らない」に応じて１２０％→２００％に増大する等である。
【００４７】
本実施形態では削除スイッチ３２ａを操作した後に削除理由を入力しているが、撮影画像を削除することなく不満理由を入力するためのリストをディスプレイ３０に表示し、ユーザはこのリストから不満理由を選択入力してもよい。マイコン３６は入力された不満理由に応じ、上記の各制御を実行する。さらに、本実施形態では削除スイッチ３２ａを操作することで撮影画像をメモリ２４から削除しているが、削除スイッチ３２ａを操作した場合であっても撮影画像のデータ自体はメモリ２４のいずれかのディレクトリに保持しておき、後にユーザの操作（例えばリカバリ操作等）により一旦削除した画像をディスプレイ３０に表示して撮り直した画像と対比できるようにしてもよい。例えば削除スイッチ３２ａの操作により撮影画像を「ごみ箱」のディレクトリに移動し、必要に応じて「ごみ箱」のディレクトリから元のディレクトリに再移動できるようにしてもよい。すなわち、本実施形態の削除スイッチ３２ａの操作による削除には、撮影画像のデータを実際に消去する態様の他、後でリカバリできるように撮影画像のデータ自体はいずれかに保持しておく態様も含まれる。
【図面の簡単な説明】
【００４８】
【図１】実施形態の全体構成図である。
【図２】図１における画像処理部の機能ブロック図である。
【図３】図１における操作入力部の機能ブロック図である。
【図４】削除理由をリスト表示したディスプレイの画面説明図である。
【図５】削除理由に応じたマイコンの調整処理フローチャート（その１）である。
【図６】削除理由に応じたマイコンの調整処理フローチャート（その２）である。
【図７】最大反射率とガンマ補正値との関係を示すグラフ図である。
【符号の説明】
【００４９】
２  ストロボ、４  発光部、６  測光部、１０  レンズ、１２  絞り、１３  シャッタ、１４  ＣＣＤ、１６  ＣＤＳ／ＡＧＣ、１８  Ａ／Ｄ、２０  画像処理部、２２  コーデック（ＣＯＤＥＣ）、２４  メモリ、２６  Ｄ／Ａ、２８  ビデオエンコーダ、３０  ディスプレイ、３２  操作入力部、３４  タイミングジェネレータ（ＴＧ）、３６  マイコン。
【図１】
2006129449.tif 000003
【図２】
2006129449.tif 000004
【図３】
2006129449.tif 000005
【図４】
2006129449.tif 000006
【図５】
2006129449.tif 000007
【図６】
2006129449.tif 000008
【図７】
2006129449.tif 000009